(57)【要約】【課題】本発明は、簡略な単層構造でありながら身体への密着性、保温性がよく、また就寝者の寝返り時においても身体を露出させない掛布団を提供する。【解決手段】本発明の掛布団１は、周辺を縫結した表地３と裏地４との間に収納材５を充填した布団本体２を具備する掛布団１であって、布団本体２における首元側２ａから足元側２ｂに向って施す間隔を有するキルティング加工により形成される平面視Ｕ状を呈する第１乃至第４のＵ状キルト線６ａ〜６ｄにより、首元側２ａ中央部分から順に第１乃至第４のＵ状区画部７ａ〜７ｄ、及び、足元側２ｂ両隅の一対の隅部区画部８を設けて収納材５を区画し、首元側２ａから前記第１乃至第４のＵ状キルト線６ａ〜６ｄのうちのいずれかで画される範囲で就寝者Ｍの首元から足先までの身体を覆うように構成した。【選択図】図１
2010104598.tif 000002
【特許請求の範囲】
【請求項１】
周辺を縫結した表地と裏地との間に、羽毛材或いは綿材等の収納材を充填した布団本体を具備する掛布団であって、
布団本体における首元側から足元側に向って施す間隔を有するキルティング加工により形成される平面視Ｕ状を呈する第１乃至第４のＵ状キルト線により、首元側中央部分から順に第１乃至第４のＵ状区画部、及び、足元側両隅の一対の隅部区画部を設けて収納材を区画し、
前記首元側から前記第１乃至第４のＵ状キルト線のうちのいずれかで画される範囲で就寝者の首元から足先までの身体を覆うようにしたことを特徴とする掛布団。
【請求項２】
周辺を縫結した表地と裏地との間に、羽毛材或いは綿材等の収納材を充填した布団本体を具備する掛布団であって、
布団本体における首元側から足元側に向って施す間隔を有するキルティング加工により形成される平面視Ｕ状を呈する第１乃至第４のＵ状キルト線により、首元側中央部分から順に第１乃至第４のＵ状区画部、及び、足元側両隅の一対の隅部区画部を設けて収納材を区画し、
前記首元側から前記第１乃至第４のＵ状キルト線のうちのいずれかで画される範囲で就寝者の首元から足先までの身体を覆うようにするとともに、
前記布団本体の長さ方向両側辺から布団本体の内方に向けて、キルティング加工により形成される平面視横向きＵ状を呈する複数の補助Ｕ状キルト線を前記第２乃至第４のＵ状キルト線と交差する配置に一定間隔で設け、
前記布団本体の足元側端辺から布団本体の内方に向けて、キルティング加工により形成される平面視逆Ｕ状を呈する複数の補助Ｕ状キルト線を前記第３、第４のＵ状キルト線と交差する配置に一定間隔で設けたこと、
を特徴とすることを特徴とする掛布団。
【請求項３】
周辺を縫結した表地と裏地との間に、羽毛材或いは綿材等の収納材を充填したシングルサイズ又はダブルサイズの寸法から選定される布団本体を具備する掛布団であって、
布団本体における首元側から足元側に向って施す間隔を有するキルティング加工により形成される平面視Ｕ状を呈する第１乃至第４のＵ状キルト線により、首元側中央部分から順に第１乃至第４のＵ状区画部、及び、足元側両隅の一対の隅部区画部を設けて収納材を区画し、
前記首元側から前記第１乃至第４のＵ状キルト線のうちのいずれかで画される範囲で就寝者の首元から足先までの身体を覆うようにするとともに、
前記布団本体の長さ方向両側辺から布団本体の内方に向けて、キルティング加工により形成される平面視横向きＵ状を呈する複数の補助Ｕ状キルト線を前記第２乃至第４のＵ状キルト線と交差する配置に一定間隔で設け、
前記布団本体の足元側端辺から布団本体の内方に向けて、キルティング加工により形成される平面視逆Ｕ状を呈する複数の補助Ｕ状キルト線を前記第３、第４のＵ状キルト線と交差する配置に一定間隔で設けたこと、
を特徴とすることを特徴とする掛布団。
【発明の詳細な説明】
【技術分野】
【０００１】
本発明は、羽毛材或いは綿材等の収納材を充填した掛布団に関し、詳しくは、身体への密着性の向上、保温性の向上を図った掛布団に関するものである。
【背景技術】
【０００２】
一般に、羽毛等を充填した掛布団は、四角形の布袋に羽毛材等を入れ、生地と羽毛材等をキルティング加工により縫い合わせて構成される。
【０００３】
このような掛布団は、就寝時に身体に掛けときに身体との密着性は必ずしも良好ではなく、また軽量であることから、下層内の横幅方向を、就寝者の上に掛けるための掛け部とその両側部と等に伴って特に就寝者の肩部分ではその縁部が浮き上がって肩が露出してしまう等の不都合な事態が多々生じる。
【０００４】
特許文献１には、袋状に形成された布団かわ２内の厚さ方向を、上層と下層とからなる少なくとも２層に仕切り、下層内の横幅方向を、就寝者の上に掛けるための掛け部とその両側部とからなる少なくとも３つの空間に仕切り、それぞれの空間に羽毛等からなる充填材を充填し、また、上層を下層よりも多い数に仕切ってそれぞれの空間に充填材を充填することにより構成した掛け布団が提案されている。
【０００５】
この掛け布団の場合、下層に就寝者の上に掛けるための掛け部とその両側部とを設けていることから、就寝者の寝返り時にも肩等の露出を防止できるものと推定されるが、上層と下層との二層構造としているため、全体として重量が大きくなり、かつ、構造も複雑なものとなる。
【特許文献１】特開２００５−２０４８３８号公報
【発明の開示】
【発明が解決しようとする課題】
【０００６】
本発明が解決しようとする問題点は、簡略な単層構造でありながら身体への密着性、保温性がよく、また、就寝者の寝返り時においても身体を露出させるようなこともない掛布団が存在しない点である。
【課題を解決するための手段】
【０００７】
本発明に係る掛布団は、周辺を縫結した表地と裏地との間に、羽毛材或いは綿材等の収納材を充填した布団本体を具備する掛布団であって、布団本体における首元側から足元側に向って施す間隔を有するキルティング加工により形成される平面視Ｕ状を呈する第１乃至第４のＵ状キルト線により、首元側中央部分から順に第１乃至第４のＵ状区画部、及び、足元側両隅の一対の隅部区画部を設けて収納材を区画し、前記首元側から前記第１乃至第４のＵ状キルト線のうちのいずれかで画される範囲で就寝者の首元から足先までの身体を覆うようにしたことを最も主要な特徴とする。
【発明の効果】
【０００８】
請求項１記載の発明によれば、収納材を充填する布団本体に加工した平面視Ｕ状を呈する第１乃至第４のＵ状キルト線により、首元側中央部分から順に第１乃至第４のＵ状区画部、及び、足元側両隅の一対の隅部区画部を形成し、収納材を区画するように構成したので、就寝者の身長及び寝姿に応じた範囲のＵ状区画部が盛り上がり、他の部分は盛り上がることはないことから、就寝者の身体への密着性が向上し、より暖かく就寝することができ、更に、寝返りの場合にも肌け難いという顕著な効果を奏する掛布団を提供することができる。
【０００９】
請求項２記載の発明によれば、収納材を充填する布団本体に加工した平面視Ｕ状を呈する第１乃至第４のＵ状キルト線により、首元側中央部分から順に第１乃至第４のＵ状区画部、及び、足元側両隅の一対の隅部区画部を形成し、収納材を区画することに加えて、布団本体に対して、平面視横向きＵ状を呈する複数の補助Ｕ状キルト線及び平面視逆Ｕ状を呈する複数の補助Ｕ状キルト線を設けて、収納材を更に細かく区画しているので、請求項１記載の発明の効果を奏するとともに、収納材の偏りを防止し長期にわたってこの効果を維持することができる掛布団を提供することができる。
【００１０】
請求項３記載の発明によれば、請求項２記載の発明の場合と同様な構成で、かつ、布団本体の寸法を、シングルサイズ又はダブルサイズの寸法から選定するようにしているので、就寝者はよりゆったりと就寝する状態の基に身体への密着性が向上し、より暖かく就寝することができ、しかも肌け難いという効果も得ることができる。また、特に、ダブルサイズとした場合には、同時に二人の就寝者Ｍが並んだ状態で就寝するような場合にも上記効果を発揮する掛布団を提供することができる。
【発明を実施するための最良の形態】
【００１１】
本発明は、簡略な単層構造でありながら身体への密着性、保温性がよく、また、就寝者の寝返り時においても身体を露出させない掛布団を提供するという目的を有するものである。
【００１２】
本発明は、周辺を縫結した表地と裏地との間に、羽毛材或いは綿材等の収納材を充填した布団本体を具備する掛布団であって、布団本体における首元側から足元側に向って施す間隔を有するキルティング加工により形成される平面視Ｕ状を呈する第１乃至第４のＵ状キルト線により、首元側中央部分から順に第１乃至第４のＵ状区画部、及び、足元側両隅の一対の隅部区画部を設けて収納材を区画し、前記首元側から前記第１乃至第４のＵ状キルト線のうちのいずれかで画される範囲で就寝者の首元から足先までの身体を覆うようにするとともに、前記布団本体の長さ方向両側辺から布団本体の内方に向けて、キルティング加工により形成される平面視横向きＵ状を呈する複数の補助Ｕ状キルト線を前記第２乃至第４のＵ状キルト線と交差する配置に一定間隔で設け、前記布団本体の足元側端辺から布団本体の内方に向けて、キルティング加工により形成される平面視逆Ｕ状を呈する複数の補助Ｕ状キルト線を前記第３、第４のＵ状キルト線と交差する配置に一定間隔で設けた構成により上記目的を実現した。
【実施例】
【００１３】
以下に、本発明の実施例に係る掛布団について、図１乃至図３を参照して詳細に説明する。
【００１４】
本実施例に係る掛布団１は、図１乃至図３に示すように、全体として長方形状を呈する綿等の布製の表地３と裏地４の周辺を縫結して袋状とし、その内部に羽毛材或いは綿（わた）材等の収納材５を充填した布団本体２を具備している。
【００１５】
前記布団本体２は、一例として、首元側２ａから足元側２ｂに向かう長さ方向（長辺方向）の寸法Ｌが２１０ｃｍ、短辺方向の寸法Ｗが１５０ｃｍのシングルサイズに形成している。
【００１６】
また、本実施例においては、収納材５として羽毛材を用いた場合、ダウン（水鳥の胸部の密生しているふわふわとした毛）と、フェザー（水鳥の腹部に生えている羽軸を持つ柔らかい小羽根）とを用い、その配合比率はダウン９５％、フェザー５％としている。
【００１７】
前記布団本体２には、首元側２ａから足元側２ｂに向って施す所定の間隔を有する４段階のＵ形のキルティング加工により形成される平面視Ｕ状を呈する第１乃至第４のＵ状キルト線６ａ乃至６ｄを設けている。
【００１８】
前記第１乃至第３のＵ状キルト線６ａ乃至６ｃに関する寸法設定例について説明すると、第１のＵ状キルト線６ａの首元側２ａの中央部の寸法（短辺方向の寸法）Ｗ１は６０ｃｍ、第１のＵ状キルト線６ａにおける長辺方向の首元側２ａからＵ状底部までの寸法Ｌ１は１３０ｃｍ、第１のＵ状キルト線６ａと第２のＵ状キルト線６ｂとの間隔Ｗ２は１５ｃｍ、第２のＵ状キルト線６ｂと第３のＵ状キルト線６ｃとの間隔Ｗ３は１５ｃｍ、第３のＵ状キルト線６ｃと布団本体２の側辺までの間隔Ｗ４は１５ｃｍに各々設定している。
【００１９】
また、第２のＵ状キルト線６ｂにおける長辺方向のＵ状底部までの寸法Ｌ２は１７０ｃｍ、第３のＵ状キルト線６ｃにおける長辺方向のＵ状底部までの寸法Ｌ３は２０５ｃｍに各々設定している。
【００２０】
そして、前記第１乃至第４のＵ状キルト線６ａ乃至６ｄにより、首元側２ａの中央部分から順に第１乃至第４のＵ状区画部７ａ乃至７ｄ、及び、足元側２ｂの両隅の一対の隅部区画部８、８を設けて内蔵する収納材５を区画している。
【００２１】
前記第１のＵ状区画部７ａには収納材５を２２０ｇ、第２のＵ状区画部７ｂには収納材５を１８０ｇ、第３のＵ状区画部７ｃには収納材５を１８０ｇ、第４のＵ状区画部７ｄには収納材５を２２０ｇ、隅部区画部８には収納材５を１８０ｇ各々均等に分布するように充填している。
【００２２】
すなわち、本実施例に係る掛布団１は、布団本体２に、就寝者Ｍの寝姿の形を型取った第１乃至第４のＵ状区画部７ａ乃至７ｄを設けたことが従来にない斬新な特徴である。
【００２３】
更に、本実施例に係る掛布団１は、図１に示すように、前記布団本体２の長さ方向両側辺から布団本体２の内方に向けて、キルティング加工により形成される平面視横向きＵ状を呈する複数（片側７個、両側で合計１４個）の補助Ｕ状キルト線９を前記第２乃至第４のＵ状キルト線６ｂ乃至６ｄと交差する配置に一定間隔で設けるとともに、前記布団本体２の足元側２ｂ端辺から布団本体２の内方に向けて、キルティング加工により形成される平面視逆Ｕ状を呈する複数（４個）の補助Ｕ状キルト線１０を前記第３、第４のＵ状キルト線６ｃ、６ｄと交差する配置に一定間隔で設けている。
【００２４】
次に、本実施例に係る掛布団１の作用、効果について、掛布団１の使用態様を示す図４をも参照して説明する。
【００２５】
本実施例に係る掛布団１によれば、上述したように、前記布団本体２の首元側２ａから足元側２ｂに向って４段階のＵ形のキルティング加工による平面視Ｕ状を呈する第１乃至第４のＵ状キルト線６ａ乃至６ｄを設けて、この布団本体２の内部に就寝者Ｍの寝姿の形を型取った第１乃至第４のＵ状区画部７ａ乃至７ｄ、及び、足元側２ｂの両隅の一対の隅部区画部８、８を形成し、これらの内部に上述したような重量の収納材５を充填しているので、就寝者Ｍが、図４に示すように、この掛布団１を身体の首部分から足先まで覆うように掛けて就寝するとき、従来の一般的な羽毛材等を収納したような掛布団と比較し、より一層身体への密着性が向上し、より暖かく就寝することができる。
【００２６】
すなわち、本実施例に係る掛布団１によれば、就寝者Ｍが、図４に示すように、この掛布団１を自己の身体に掛けて就寝する場合、就寝者Ｍの身長及び寝姿に応じて例えば図４に示すように第１のＵ状区画部７ａ、第２のＵ状区画部７ｂ及び第３のＵ状区画部７ｃ等が上方に盛り上がるとともに、その外側の第４のＵ状キルト線６ｃで画される第４のＵ状区画部７ｄや、更に外側の隅部区画部８は盛り上がることがなく、これにより、就寝者Ｍの身長及び寝姿で定まる範囲のみが就寝者Ｍに密着することになり、身体への密着性が向上し、より暖かく就寝することができる。
【００２７】
また、前記就寝者Ｍが、就寝中に寝返りを打ったような場合でも、第１乃至第４のＵ状区画部７ａ乃至７ｄのうちのその寝姿で定まる範囲のもののみが上方に盛り上がり、その外側の隅部区画部８等は盛り上がることがなく、これにより、就寝者Ｍの身体への密着性が向上し、より暖かく就寝することができ、しかも、肌け難いという効果も得ることができる。
【００２８】
第１乃至第４のＵ状区画部７ａ乃至７ｄのうちの上方に盛り上がる範囲は、就寝者Ｍの身長、体型により自ずから定まるものである。
【００２９】
更に、本実施例に係る掛布団１によれば、布団本体２に対して、前記平面視横向きＵ状を呈する複数の補助Ｕ状キルト線９及び平面視逆Ｕ状を呈する複数の補助Ｕ状キルト線１０を設けて、収納材５を更に細かく区画しているので、収納材５の偏りを防止し長期にわたって上記効果を維持することが可能となる。
【００３０】
上述した本実施例に係る掛布団１は、長さ方向の寸法Ｌが２１０ｃｍ、短辺方向の寸法Ｗが１５０ｃｍのシングルサイズのものであるが、これに限らず、例えば長さ方向の寸法Ｌが２１０ｃｍ、短辺方向の寸法Ｗが１９０ｃｍで、これに応じて各部のサイズを変更し収納材５の充填量を増やしたダブルサイズの掛布団１とすることも勿論可能である。
このようなダブルサイズの掛布団１によれば、就寝者Ｍはこの掛布団１を身体に掛けることにより、よりゆったりと就寝することができ、この場合においても、身体への密着性が向上し、より暖かく就寝することができ、しかも肌け難いという効果も得ることができる。
【００３１】
更には、このようなダブルサイズの掛布団１によれば、同時に二人の就寝者Ｍが並んだ状態で両者の身体に掛けて就寝することができ、この場合にも、特に二人の就寝者Ｍの外側（布団本体２の両側辺側）への密着性が向上し、より一層暖かく就寝することができる。
また、このようなダブルサイズの掛布団１によれば、例えば身体の横幅がかなり大きい大柄の就寝者Ｍに関しても上述した効果を発揮させることができる。
【産業上の利用可能性】
【００３２】
本発明は、前述したように、例えば、布団本体内に羽毛材、綿材等々の各種の収納材５を入れた広範な掛布団等にも応用可能である。
【図面の簡単な説明】
【００３３】
【図１】本発明の実施例に係る掛布団を示す概略平面図である。
【図２】図１のＡ−Ａ線断面図である。
【図３】図１のＢ−Ｂ線断面図である。
【図４】本発明の実施例に係る掛布団の使用態様を示す概略斜視図である。
【符号の説明】
【００３４】
１    掛布団
２    布団本体
２ａ  首元側
２ｂ  足元側
３    表地
４    裏地
５    収納材
６ａ  第１のＵ状キルト線
６ｂ  第２の状キルト線
６ｃ  第３の状キルト線
６ｄ  第４の状キルト線
７ａ  第１のＵ状区画部
７ｂ  第２のＵ状区画部
７ｃ  第３のＵ状区画部
７ｄ  第４のＵ状区画部
８    隅部区画部
９    補助Ｕ状キルト線
１０    補助Ｕ状キルト線
Ｍ    就寝者
【図１】
2010104598.tif 000003
【図２】
2010104598.tif 000004
【図３】
2010104598.tif 000005
【図４】
2010104598.tif 000006